(57)【要約】【課題】ガタツキ音や床パネルの横ズレを回避して歩行感を良好に保つことのできる二重床の床支持構造及び構築方法を提供すること。【解決手段】支持部３の上端部に形成され、床パネル２を支持する支持面３３ｄと、支持面３３ｄにより支持される床パネル２の被支持面２３ｂと、支持面３３ｄ又は被支持面２３ｂの何れか一方の面に形成された複数の凸部７０と、他方の面に貼着され、荷重が加えられたときに凸部７０相互間に侵入する変形性を有する軟質部材５０を備える二重床の床支持構造を提供する。これにより、床パネル２に横方向の力が加えられると、凸部７０同士の間に軟質部材５０が侵入し、この軟質部材５０が凸部７０に絡み付くことになるので、床パネル２の横方向への動きが規制されてその横ズレが防止される。従って、床パネル２の横ズレを防止し歩行感を良好に保つことができる。【選択図】図５
2010001610.tif 000002
【特許請求の範囲】
【請求項１】
基礎床面上に設置された支持部により床パネルを支持し、前記基礎床面と前記床パネルとの間に配線空間が形成されている二重床の床支持構造において、
前記支持部の上端部に形成され、前記床パネルを支持する支持面と、
前記支持面により支持される前記床パネルの被支持面と、
前記支持面又は前記被支持面の何れか一方の面に形成された複数の凸部と、
前記支持面又は前記被支持面の前記何れか一方の面と異なる他方の面に設けられ、荷重が加えられたときに前記凸部相互間に侵入する変形性を有する軟質部材と、を有することを特徴とする二重床の床支持構造。
【請求項２】
前記凸部は、弾性部材で形成されたことを特徴とする請求項１に記載の二重床の床支持構造。
【請求項３】
前記軟質部材の厚さは、
前記凸部の高さと略同一であることを特徴とする請求項１又は２に記載の二重床の床支持構造。
【請求項４】
前記支持部の前記支持面に前記凸部が設けられ、前記床パネルの前記被支持面に前記軟質部材が設けられたことを特徴とする請求項１〜３の何れか１項に記載の二重床の床支持構造。
【請求項５】
前記軟質部材は、繊維部材で形成されたことを特徴とする請求項１〜４の何れか１項に記載の二重床の床支持構造。
【請求項６】
前記凸部は、先端に向かって漸次縮径する形状に形成されたことを特徴とする請求項１〜５の何れか１項に記載の二重床の床支持構造。
【請求項７】
前記凸部は、弾性部材で形成され、その先端面は底面に対して傾斜した面とされたことを特徴とする請求項１〜６の何れか１項に記載の二重床の床支持構造。
【請求項８】
請求項１〜７の何れか１項に記載の二重床の床支持構造において、
前記支持部の支持面又は前記床パネルの被支持面の何れか一方の面に前記凸部を形成する凸部形成工程と、
前記軟質部材を、前記支持面又は前記被支持面の前記何れか一方の面と異なる他方の面に設ける軟質部材設置工程と、
前記凸部形成工程、及び前記軟質部材設置工程の後に、前記床パネルを前記支持部に載置する床パネル載置工程と、
を有することを特徴とする二重床の床支持構造の構築方法。
【発明の詳細な説明】
【技術分野】
【０００１】
本発明は、二重床の床支持構造、及びその構築方法に関し、例えば、建物の基礎床面上に電気ケーブルや通信ケーブル等を配線する空間を形成する二重床の床支持構造及びその構築方法に関する。
【背景技術】
【０００２】
近年、いわゆるオフィスオートメーション（以下、OAとする）フロア向けの床として、電気ケーブルや通信ケーブル等を配線するための配線空間が建物の基礎床面上に形成された二重床が広く用いられている。このような二重床は、配線空間において、その都度必要に応じて電線等を配線することができるので、度々配線を変える必要のあるようなＯＡフロアであっても、床構造自体を変更することなく配線の組み換えを行なうことができる。従って、一度、施工を行なうと、数十年の間、使用されることが一般的である。
【０００３】
しかし、このような二重床は、例えば、建物の基礎床面に設置した複数の支持脚の上に複数の床材（以下、これを床パネルと呼ぶ）を配置することで形成されているが、歩行などの振動によって床パネルが反り上下動することで支持脚の支持面と床パネルの下面が衝突してガタツキ音が発生し、良好な歩行感を保つことができないという問題が従来から指摘されている。
【０００４】
この問題を解消するため、従来の二重床の中には、パネルの上下動による加振力を吸収するために、クッション材として弾性凸部を支持脚の支持面上に設けたものや（例えば特許文献１参照）、弾性材料（例えばゴム）や繊維材料（例えばグラスウール）等からなる緩衝材を支持脚の支持面上に設けたものがあった（例えば特許文献２参照）。
【０００５】
【特許文献１】特開２００２−１０６１５７号公報
【特許文献２】特開２００１−１５９２０８号公報
【発明の開示】
【発明が解決しようとする課題】
【０００６】
ところが、特許文献１のように弾性凸部が支持面に形成された二重床では、支持脚の支持面と床パネルとの間の横ズレを弾性凸部と床パネルの間の摩擦力のみで防ぐ構成であるためその効果が不十分であり、歩行などの振動により、支持面に対して床パネルが横ズレして、歩行感を損なう。また、弾性凸部が塑性変形して潰れ、倒れた状態のまま復元しなくなる、すなわち不可逆的に変形する場合があり、その結果、弾性凸部のクッション性が失われ、ガタツキ音の発生を防止することができず、ますます歩行感が損なわれるという欠点があった。更に、特許文献２のように緩衝材が支持面に形成された二重床においても、歩行などの振動による支持脚の支持面に対する床パネルの横ズレは、防ぐことはできなかった。
【０００７】
本発明は上記問題点を解決するためになされたものであって、その目的は、ガタツキ音や床パネルの横ズレを回避して歩行感を良好に保つことのできる二重床の床支持構造及び構築方法を提供することにある。
【課題を解決するための手段】
【０００８】
上記課題を解決するために請求項１に記載の二重床の床支持構造は、基礎床面上に設置された支持部により床パネルを支持し、前記基礎床面と前記床パネルとの間に配線空間が形成されている二重床の床支持構造において、前記支持部の上端部に形成され、前記床パネルを支持する支持面と、前記支持面により支持される前記床パネルの被支持面と、前記支持面又は前記被支持面の何れか一方の面に形成された複数の凸部と、前記支持面又は前記被支持面の何れか一方の面と異なる他方の面に設けられ、荷重が加えられたときに前記凸部相互間に侵入する変形性を有する軟質部材と、を有することを特徴とする。
【０００９】
この構成によれば、床パネルの自重や歩行等により床パネルに加わる荷重によって、凸部相互間に軟質部材が侵入するため、横方向の力が加えられると、侵入した軟質部材の部分が凸部に絡みつき、床パネルの横方向への動きが規制され、床パネルの横ズレが防止される。従って、床パネルの横ズレを確実に回避することができる。
【００１０】
また、請求項２に記載の発明は、請求項１に記載の二重床の床支持構造において、前記凸部は、弾性部材で形成されたことを特徴とする。これによれば、歩行等の荷重による衝撃を軟質部材だけでなく凸部でも吸収することができ、床パネルの横ズレを回避するだけでなく、ガタツキも回避して歩行感をより良好に保つことができる。更に、このように凸部が弾性部材で形成されている場合であっても、凸部が設けられている面に対して他方の面に軟質部材が設けられているので、歩行等による荷重を凸部と軟質部材とで分散して支えることができる。従って、凸部の不可逆的な変形を大幅に遅らせることができ、長年の使用における床パネルと支持部との間のガタツキ音の発生も防止することができる。
【００１１】
そして、凸部は荷重を受けると、弾性的につぶれたり倒れたり（すなわち可逆的に変形）して軟質部材を挟み込む。従って、倒れた凸部により軟質部材が挟み込まれるので、軟質部材の凸部への絡みつき効果を向上させ、床パネルの横ズレ防止効果をより高めることができる。また、この凸部による軟質部材の挟み込みにより、床パネルの横ズレだけでなく上方への無駄な動きも抑制することができ、衝撃等により支持部から床パネルが外れることを回避することができる。
【００１２】
請求項３に記載の発明は、請求項１又は２に記載の二重床の床支持構造において、前記軟質部材の厚さは、前記凸部の高さと略同一であることを特徴とする。これにより、長期間に渡り歩行感を良好に保つことができる。
【００１３】
請求項４に記載の発明は、請求項１〜３の何れか１項に記載の二重床の床支持構造において、前記支持部の前記支持面に前記凸部が設けられ、前記床パネルの前記被支持面に前記軟質部材が設けられたことを特徴とする。
【００１４】
これによれば、支持部の支持面に凸部を形成すると、製造した床パネルの運搬時においてそれらを重ねる際に凸部を傷付けないように注意して作業する手間が無くなる。
【００１５】
請求項５に記載の発明は、請求項１〜４の何れか１項に記載の二重床の床支持構造において、前記軟質部材は繊維部材で形成されたことを特徴とする。本発明によれば、軟質部材を繊維部材で形成することによって、軟質部材の繊維が凸部により強く絡みつき、横ズレをより効果的に回避することができる。
【００１６】
請求項６に記載の発明は、請求項１〜５の何れか１項に記載の二重床の床支持構造において、前記凸部は、先端に向かって漸次縮径する形状に形成されたことを特徴とする。
【００１７】
これによれば、基端側よりも細く形成された凸部の先端部分と軟質部材の接触面積が小さくなり、凸部の軟質部材への入り込みがより大きくなる。従って、軟質部材の凸部間への侵入量もより大きくなる。
【００１８】
請求項７に記載の発明は、請求項１〜６の何れか１項に記載の二重床の床支持構造において、前記凸部は、その先端面は底面に対して傾斜した面とされたことを特徴とする。
【００１９】
これによれば、凸部の先端面が底面に対して傾斜しているので、軟質部材の設けられている面との接触で凸部は、斜め方向（凸部の傾斜した先端面と直交する方向）の荷重を受ける。従って、凸部は荷重を受けた際に倒れ易くなり、軟質部材をより確実に挟み込むこととなる。従って、床パネルの横ズレ防止効果、及び床パネルの上方への無駄な動きの抑制効果をさらに高めることができる。
【００２０】
請求項８に記載の二重床の床支持構造の構築方法は、請求項１〜７の何れか１項に記載の二重床の床支持構造において、前記支持部の支持面又は前記床パネルの被支持面の何れか一方の面に前記凸部を形成する凸部形成工程と、前記軟質部材を、前記支持面又は前記被支持面の前記何れか一方の面と異なる他方の面に設ける軟質部材設置工程と、前記凸部形成工程、及び前記軟質部材設置工程の後に、前記床パネルを前記支持部に載置する床パネル載置工程と、を有することを特徴とする。
【００２１】
この方法により得られる二重床の床支持構造によれば、パネルの自重や歩行等により床パネルに加わる荷重によって、凸部相互間に軟質部材が侵入するため、横方向の力が加えられると、侵入した軟質部材の部分が凸部に絡みつき、床パネルの横方向への動きが規制され、床パネルの横ズレが防止される。従って、床パネルの横ズレを確実に回避することができる。
【発明の効果】
【００２２】
本発明にかかる二重床の床支持構造及びその構築方法によれば、歩行等により床パネルに荷重が加えられた場合に、凸部相互間に軟質部材が侵入するため、床パネルに横方向の力が加えられたとしても、侵入した軟質部材の部分が凸部に絡みつき、床パネルの横方向への動きが規制され、床パネルの横ズレが防止される。従って、ガタツキ音や床パネルの横ズレを確実に回避して歩行感を長年に亘って良好に保つことができる。
【発明を実施するための最良の形態】
【００２３】
（第１の実施の形態）
以下、本発明にかかる第１の実施の形態について図面を参照して詳細に説明する。
【００２４】
図１は、本実施の形態にかかる二重床の平面図を示している。図示のように、二重床１は、略正方形の板状に形成された床パネル２と、この床パネル２の四隅を支持するように基礎床面４に設けられた支持部としての支持脚ユニット３で構成されている。そして、建物の部屋に合わせて縦横に整列して配置された各支持脚ユニット３の上に、複数の床パネル２がその四隅を突き合わせるようにして載置されることで、建物の基礎床面４と床パネル２との間には、電気ケーブルや通信ケーブル等を配線するための配線空間が形成される。
【００２５】
図２は、床パネルの構造を説明する図であり、図２（Ａ）は、床パネルの平面図、図２（Ｂ）は、床パネルの側面図、図２（Ｃ）は、床パネルの底面図、図２（Ｄ）は、図２（Ｃ）におけるＡ１−Ａ１断面説明図を示す。図示のように、床パネル２は、例えば木片を接着剤などの結合剤によって結合した結合板材（MDF：Medium Density Fiberboard）２１を、例えばガルバリウム合板からなる薄い金属板で形成された上板２２と下板２３とで挟み込むようにして接着形成されている。これにより床パネル２では、上板２２及び下板２３により結合板材２１の支持強度が高められていると共に、結合板材２１の上面及び下面に傷が付かないように保護されている。なお、この結合板材２１に代えて、単なる木板や金属板、樹脂板、パーティクルボード、コンクリートなどの窯業系材料で形成された板、発泡体材料で形成された板等を用いても良いし、それらを任意に複数組み合わせたものを用いても良い。
【００２６】
床パネル２の下面側の四辺の縁には、床パネル２の側面側から下面側にかけて略４５°に切断されて形成された支持脚ガイド２１ａが設けられている。この支持脚ガイド２１ａは、床パネル２を支持脚ユニット３に固定する際に用いられるものである。なお、この支持脚ガイド２１ａは、他の角度や、断面が円弧状に凸の形状、円弧状に凹の形状、多角形状等の支持脚ユニット３に固定する際にガイドとなる種々の形状に切断されていても良い。
【００２７】
上板２２には、結合板材２１からの上板２２の剥離の防止と結合板材２１の強度をより一層高める目的で、結合板材２１の四辺に嵌合する上板爪部２２ａが設けられている。
【００２８】
同様に、下板２３には、結合板材２１からの下板２３の剥離の防止と結合板材２１の強度をより一層高めるために、結合板材２１の四辺の支持脚ガイド２１ａに嵌合する下板爪部２３ａが設けられている。
【００２９】
また、このように上板爪部２２ａ、及び下板爪部２３ａが設けられていることにより、上述のように上板２２ａと下板２３ａの剥離を防止して結合板材２１の強度を向上させることができる上に、床パネル２の縁に物が引っかかることを防止することができる。
【００３０】
そして、床パネル２における下板２３の中で支持脚ユニット３により支持される被支持面としての下面２３ｂの四隅には、軟質部材として、例えば所定厚さで、円弧形状の不織布５０が貼着されている。なお、この不織布５０は、円弧形状だけでなく多角形等の他の形状であっても良い。また、不織布５０を下面２３ｂに貼着する代わりに、ビス等の固定手段で固定するようにしても良い。
【００３１】
さらに、床パネル２における下板２３の下面２３ｂの全面に不織布５０を設けるようにしてもよい。これにより、二重床１では、例えば耐荷重や強度を増加させる目的で床パネル２に対する支持脚ユニット３の本数を増加させるような場合に、不織布５０を床パネル２の下面２３ｂに追加させるような煩雑な作業を行うことなく追加分の支持脚ユニット３を任意の場所に設置することができると共に、不織布５０を設置し忘れるようなミスを未然に回避でき、施工時における作業性を向上させることができる。また、軟質部材として、不織布ではなく、繊維を織った布や紙、軟質の弾性樹脂等でも良い。
【００３２】
また床パネル２の四辺のうち隣り合う二辺には、床パネル２と基礎床面４との間の配線空間からケーブル等を引き出すための開口２４が複数（図では各辺に４個ずつ）設けられている。
【００３３】
更に、床パネル２の四辺のうち開口２４が設けられていない一辺には、結合溝２５が設けられており、この一辺と対向する他辺には、結合突起２６が着脱可能に設けられている。これにより、二重床１では、結合溝２５と結合突起２６とが嵌め合うように床パネル２を支持脚３に載置することで、複数の床パネル２を同じ方向に揃えて載置することができる。なお、この床パネル２が壁際に配置される場合、配置の邪魔とならないように結合突起２６は取外される。
【００３４】
図３は、支持脚ユニット３の構成を説明する図であり、図３（Ａ）は支持脚ユニット３の平面図、図３（Ｂ）は、支持脚ユニット３の側面図、図３（Ｃ）は、支持脚ユニット３の底面図、図３（Ｄ）は、図３（Ａ）におけるＡ２−Ａ２断面説明図を示す。図示のように、支持脚ユニット３は、基礎床面４に固設され、例えば金属板で形成されている略正方形状の基台３１と、この基台３１の略中央に立設されて床パネル２を所定の高さ位置に支持する略円柱形状の支持脚３２と、この支持脚３２の先端側に固定されて床パネル２を下面２３ｂ側から支持する略正八角形状の支持板３３とから構成されている。
【００３５】
基台３１には、その略中央位置に立設された支持脚３２から放射状にリブ３１ａが設けられている。このリブ３１ａにより基台３１が補強されるとともに、リブ３１ａの窪み部分に接着剤が溜まるので基台３１が基礎床面４にしっかりと固定される。なお、リブ３１ａの形状は、上述の基台３１を補強、及び接着剤を溜めることができる形状であれば、放射状以外の種々の形状で形成しても良い。
【００３６】
また、基台３１には、略正方形状の四辺のそれぞれの略中央に直角二等辺三角形の直角の頂点を切り込んだような切り欠き３１ｂが形成されている。これにより基台３１は、二重床１を基礎床面４に施工する際に、墨出した基準線にこの切り欠き３１ｂを合わせて固定するだけで、基台３１を所定の間隔で配設することができるようになされている。本実施の形態では、切り欠き３１ｂを直角二等辺三角形としたが、基準線に合わせることができるのであれば、直線状の切り欠きでもよいし、他の形状の切り欠きでもよい。ただ、施工状況等によっては、この切り欠き３１ｂを施工時に利用しなくても良く、その判断は適宜作業者が選択できるものとする。
【００３７】
支持脚３２は、例えば、金属の円柱から形成されており、その表面には雄ネジ３２ａが設けられている。この支持脚３２も、他の材質であっても構わないし、一本だけでなく複数本設けるようにしてもよいし、柱状だけでなく板を折り曲げることで構成されたものや複数の板を組み合わせることで形成された箱状のもの、樹脂成形された専用形状のものであってもよい。
【００３８】
支持板３３は、例えば、略正八角形状でなる所定厚みの金属板から形成されており、その中央に略すり鉢状の凹部３３ａと貫通孔３３ｂとが設けられている。なお、支持板３３の形状は、略正八角形以外の多角形や略円形でもよく、その材質も木材や樹脂、その組み合わせであっても構わない。
【００３９】
そして、貫通孔３３ｂには、支持脚３２の雄ネジ３２ａに螺合可能な雌ネジが刻まれた支持ナット３４が一体に設けられている。これにより支持板３３は、支持脚３２の周りを回動されることでネジにより上下移動することになり、基礎床面４から床パネル２までの床高さを調節できるようになっている。なお、本実施の形態では支持板３３に支持ナット３４が一体に設けられているが、別体のナットを用意し、このナットと支持ナット３４とで支持板３３を挟み込むような構造や、支持板３３を厚く構成し、その貫通孔３３ｂの内側に雌ネジを設けるような構造としても良い。
【００４０】
一方、支持脚３２の支持板３３よりも上側には、雄ネジ３２ａに螺合可能な雌ネジが刻まれた固定ナット３５が設けられている。これにより支持板３３は、所望の床高さに調整された後、固定ナット３５のナット下面３５ａで支持ナット３４のナット上面３４ａを圧接するようにねじ込まれることで、調整された床高さに固定される。その結果、支持板３３は、ガタついたり、振動によって回転して床高さが変化したりすることを回避できる。
【００４１】
また、略正八角形状でなる支持板３３の８辺には、パネルガイド３３ｃが、１辺おきに合計四個設けられている。これら四個のパネルガイド３３ｃのうちの隣合う一対のパネルガイド３３ｃ・３３ｃは、床パネル２を支持脚ユニット３に載置する際、床パネル２の隣り合う２辺に設けられた支持脚ガイド２１ａ（図２参照）を誘導する。これにより支持脚ユニット３は、煩雑な作業を施工者に強いることなく、パネルガイド３３ｃに沿って床パネル２を載置するという簡易な作業だけで、複数の床パネル２を碁盤目状に配置することができる。
【００４２】
さらに、支持板３３は、強度向上の目的で、床パネル２を支持する支持面３３ｄから凹部３３ａにかけて平面視略楕円形状のリブ３３ｅが設けられている。なお、本実施の形態では、このリブ３３ｅは支持面３３ｄの中でパネルガイド３３ｃに対応する位置に四個設けられているが、その有無、個数、形状、位置等については、必要に応じて種々変更が可能である。そして、支持面３３ｄには、例えば、合成ゴム、ポリウレタン、及びエラストマー等の弾性樹脂で形成された緩衝シートが接着される。
【００４３】
図４は、緩衝シートの構造、及びその設置状態を説明する図であり、図４（Ａ）は、緩衝シートの平面図、図４（Ｂ）は、緩衝シートの側面図、図４（Ｃ）は、緩衝シートが設置された支持脚ユニット３の平面図、図４（Ｄ）は、緩衝シートが設置された支持脚ユニット３の側面図を示している。図示のように、緩衝シート６０は、支持面３３ｄの形状と同様の形状を有し、その表面に例えば円錐台形状の複数の凸部７０が、縦横に整列して配列されている。なお、この凸部７０の配列は、縦横に整列した配置に限られず、隣り合う列を互い違いに配置した千鳥状や、列状、格子状、同心円状、螺旋状など、必要に応じて配置を適宜変更できるものとする。また、緩衝シート６０の形状も、必ずしも支持面３３ｄの形状と同様である必要もなく、比較的小さい緩衝シート６０を支持面３３ｄ上に複数貼り付けるような構成であってもよい。
【００４４】
図５は、床パネル２が支持脚ユニット３に支持された状態を示す説明図である。図示のように、本実施の形態では、これら凸部７０は、床パネル２が支持脚ユニット３に載置された状態で、床パネル２の下面２３ｂに貼着された不織布５０と接触する。そして、パネルの自重により凸部７０相互間に不織布５０の一部が侵入する。
【００４５】
これにより、床パネル２に横方向の力が加えられたとしても、不織布５０が凸部７０に絡み付くことになるので、床パネル２の横方向への動きが規制されて床パネル２の横ズレが防止される。従って、床パネルの横ズレを確実に回避して歩行感を良好に保つことができる。
【００４６】
そして、不織布５０が床パネル２の下面２３ｂに設けられているので、上述の床パネル２の自重を、凸部７０で受けてもその荷重が緩和される。従って、弾性部材で形成されている凸部７０の不可逆的な変形を大幅に遅らせることができ、長年の使用により生じる床パネル２と支持脚ユニット３との間でガタツキ音（例えば、床パネル２が支持脚ユニット３上で振動することに起因する振動音や、床パネル２同士が横ズレしてぶつかることに起因する衝撃音）を回避することができる。
【００４７】
特に、本実施の形態では、軟質部材として、繊維部材である不織布５０を用いていることによって、不織布５０の繊維が凸部７０により強く絡みつくことになり、横ズレを効果的に回避して歩行感を一層良好に保つことができる。そして、本実施の形態の不織布５０の厚さは、凸部７０の高さと略同一であることが望ましく、これにより長期間に渡り歩行感を良好に保つことができる。
【００４８】
図６は、床パネル２上を歩行者が歩行する等により荷重が加えられたときの凸部７０、及び不織布５０の態様を説明する図である。本実施の形態では、凸部７０が弾性部材で形成されていることから、図示のように、床パネル２上を歩行者が歩行する等により荷重が加えられると、凸部７０が弾性的につぶれたり倒れたり（すなわち可逆的に変形）して不織布５０の繊維を挟み込む。すなわち、不織布５０の凸部７０への絡み付き効果を向上させることで、床パネル２の横方向への動きをより強く規制することができ、横ズレ防止効果をより高めることができる。また、この凸部７０による不織布５０の挟み込みにより、床パネル２の横ズレだけでなく上方への無駄な動きも抑制することができ、衝撃等により支持脚ユニット３から床パネル２が外れることを回避することができる。
【００４９】
更に、このように凸部７０が弾性部材で形成されている場合であっても、床パネル２の下板２３に不織布５０が貼着されているので、歩行等による荷重を凸部７０と不織布５０とで分散して支えることができる。従って、凸部７０の不可逆的な変形を大幅に遅らせることができ、長年の使用における床パネル２と支持脚ユニット３との間のガタツキ音の発生も防止することができる。
【００５０】
その一方で、二重床１では、床パネル２が支持脚ユニット３により支持された際には凸部７０が可逆的に変形して不織布５０を挟み込むものの、例えば調整時に作業者により床パネル２が持ち上げられる際には弾性力によって凸部７０の形状が元に戻るため、支持脚ユニット３から容易に床パネル２を取り外すことができる。すなわち、本実施の形態の二重床１によれば、使用時における支持脚ユニット３に対する床パネル２の固定性と調整時等における作業性とを両立することができる。
【００５１】
更に、本実施の形態にかかる二重床１では、凸部７０を支持脚ユニット３０の支持面３３ｄに設けるようにしたことにより、製造された床パネル２の運搬時においてそれらを重ねる際に凸部７０に傷を付けないように注意して作業する手間がなくなる。その結果、作業性を向上できると共に、凸部７０を破損してしまう危険性を回避することができる。
【００５２】
図７は、凸部７０の形状の例を示す図である。図示のように、凸部７０の形状は、図７（Ａ）に示す円錐台形状の他に、円錐形状（図７（Ｂ））や円柱形状（図７（Ｃ））、トーラス形状（図７（Ｄ））、多角形錐台形状（図７（Ｅ））、多角形錐形状（図７（Ｆ））、多角形柱形状（図７（Ｇ））、三角形状の切り込みが入った直方体形状（図７（Ｈ））、半球形状（図７（Ｉ））、十字柱形状（図７（Ｊ））、楔形形状（図７（Ｋ））、略円錐台で先端面が底面に対して傾斜した形状（図７（Ｌ））、略直方体で先端面が底面に対して傾斜した形状（図７（Ｍ））、中心軸に対して非対称な三角柱形状（図７（Ｎ１）、（Ｎ２））に形成しても良く、またそれらを単独で用いても任意に複数組み合わせて用いてもよい。さらに、その凸部７０の形状は、図７（Ｏ）に示すように、円柱形上の上に円錐形状を乗せるような形状、すなわち上述した図７（Ａ）〜（Ｎ２）の形状を結合させたような形状であってもよい。また、凸部７０は、弾性部材に限られず、金属やセラミックス等の非弾性部材で形成しても良い。
【００５３】
例えば、凸部７０を、図７（Ｂ）、（Ｆ）及び（Ｏ）に示すような円錐形や多角錐形状等の先端に向かって漸次縮径する形状に形成すると、支持脚ユニット３に床パネル２が載置されてその上に図示しないカーペットが貼着された際、或いは、歩行等による荷重が床パネル２に加えられた状態で、凸部７０の不織布５０への入り込みがより大きくなる。従って、不織布５０の凸部７０への侵入量もより大きくなり、床パネル２の横ズレ防止が向上する。特に、この場合、凸部７０の材質を硬質の非弾性材料とすると、凸部７０が下面２３ｂに強固に突き刺ささることとなる。従って、支持脚ユニット３と床パネル２とがより強く係合することとなり、ガタツキ音や床パネル２の横ズレをより効果的に防止することができる。
【００５４】
また、凸部７０を、図７（Ａ）、（Ｅ）に示すような円錐台形状や多角錐台形状等の錐台形状、図７（Ｃ）に示すような円柱形状、図７（Ｇ）に示すような多角柱形状に形成することによって、支持脚ユニット３により床パネル２が支持されている状態で、各凸部７０の上端部分と、不織布５０の横方向の摩擦抵抗が大きくなるので、床パネル２の横ズレを効果的に回避することができる。
【００５５】
更に、凸部７０を弾性部材で形成し、その形状を図７（Ｄ）、（Ｈ）に示すような形状とすれば、凸部７０は、床パネル２の重量（又は、床パネル２にかかる荷重）により垂直方向に潰れやすくなり、この垂直方向の潰れによって、凸部７０の一部が水平方向にせり出し、それによって不織布５０を挟み込むことができる。従って、床パネル２の横ズレをより効果的に回避し、上方への無駄な動きも抑制することができる。
【００５６】
また、凸部７０を弾性部材で形成し、その形状を図７（Ａ）、（Ｂ）、（Ｃ）、（Ｏ）のような任意の横断面形状が円形である形状とすると、この凸部７０はその中心線に対して対称な形状であるので、歩行等による荷重が作用した場合に、凸部７０は任意の方向にランダムに倒れ易くなる。従って、凸部７０が弾性的に変形して倒れることによる不織布５０の挟み込み効果を向上させることができる。
【００５７】
更に、凸部７０を弾性部材とし、図７（Ｅ）、（Ｆ）、（Ｇ）に示されるように、その側面が全て合同で任意の横断面形状が正方形となるような形状に形成すると、凸部７０はその側面が向いている何れかの方向に倒れ易くなる。従って、凸部７０が倒れることによる不織布５０の挟み込み効果を向上させることができるとともに、凸部７０の倒れる方向がある程度限定されるので、例えば、複数の凸部７０の中で凸部７０同士が向かい合うように倒れる場所が発生する可能性が高くなる。従って、その凸部７０同士の間では、不織布５０がこの両方の凸部７０から挟まれるので、不織布５０の挟み込み効果をより向上させることができる。
【００５８】
なお、凸部７０を、その対向する側面同士が合同で任意の横断面形状が長方形となるように形成することによって、底面の長方形の長辺を含む２つの側面が向いている方向のどちらかに倒れ易くすることも可能である。これにより、凸部７０の倒れる方向がさらに限定されるので、上述のように凸部７０同士が向かい合うように倒れる可能性を高めることができる。また、凸部７０を、図７（Ｋ）に示されるような楔形形状に形成することによっても、特定の方向（楔形形状の場合、曲面状の側面が向いている方向）に倒れ易くすることが可能である。
【００５９】
そして、凸部７０を弾性部材で形成し、その形状を図７（Ｊ）に示されるように、十字形のような凹図形（凹部分を有する四角形や円形等）を底面とする形状に形成すると、この凸部７０は、底面の凹部分に対応する部分、すなわち、その角の欠けている部分側に倒れ易くなる。従って、凸部７０を上述のように底面が正方形となる形状に形成した場合と同様の効果を得ることができる。また、この凸部７０の欠けている部分に不織布５０が絡みつくので、不織布５０の凸部７０への絡みつき効果を向上させることができる。
【００６０】
また、凸部７０を弾性部材で形成し、その形状を図７（Ｌ）、（Ｍ）、（Ｎ１）、（Ｎ２）に示されるような先端面が底面に対して傾斜した形状とすれば、床パネル２に歩行等により荷重が作用した場合に、凸部７０は、斜め方向（凸部７０の傾斜した先端面と直交する方向）の荷重を受ける。従って、凸部７０は、確実に倒れ、この倒れた凸部により不織布５０が挟み込まれるので、床パネル２の横ズレ防止効果、及び床パネル２の上方への無駄な動きの抑制効果をより一層高めることができる。衝撃等により支持脚ユニット３から床パネル２が外れることを回避することできる。更に、例えば、隣合う凸部７０同士が相互に向かい合う方向に倒れるように、その凸部７０同士のそれぞれを、図７の（Ｎ１）、（Ｎ２）に示されるような形状に形成して配置するようにしても良い。
【００６１】
なお、上述の第１の実施の形態において、床パネル２が支持脚ユニット３により支持された際に、床パネル２の重量により可逆的に変形して不織布５０の繊維を挟み込むように凸部７０を形成した場合について述べたが、これに限らず、例えば、床パネル２の重量程度では容易に変形しないように、且つ、歩行等により荷重が加えられた状態では可逆的に変形するように凸部７０の強度や高さを選定してもよい。そうすることで二重床１では、水平方向（すなわち横方向）の力が加わることに起因して床パネル２の横ズレが発生し易い歩行時において、歩行者の重量に起因する荷重によって凸部７０が不織布５０を挟み込むことにより、床パネル２の横ズレと上方への離脱との両方を確実に回避できる。その一方で、二重床１では、床パネル２が支持脚ユニット３により支持された程度では凸部７０が可逆的に変形しないため、例えば調整時に作業者により床パネル２が持ち上げられる際に、床パネル２を容易に取り外すことができる。すなわち、この場合の二重床１によれば、使用時における支持脚ユニット３に対する床パネル２の固定性を確実に確保しつつ、調整時等における作業性をより一層向上することができる。
【００６２】
また上記第１の実施の形態では、不織布５０及び緩衝シート６０を介在した上で、支持脚ユニット３の支持面３３ｄにより、床パネル２の被支持面としての下面２３ｂを支持した場合について述べたが、この支持面３３ｄや下面２３ｂは、平面や曲面、複数の段差により形成される面、格子状の線材により形成される面、複数の点により形成される面などを含むものとする。つまり物体を支持するためには、所定の面積を有する「面」で支える必要があり、この場合の支持面や下面とは、そのような「面」を形成する構造物を広く含むものとする。
【００６３】
更に、上記第１の実施の形態では、支持脚ユニット３に床パネル２を載置するようにした場合について述べたが、本発明はこれに限らず、ボルト等によって支持脚ユニット３に床パネル２を固定するような場合であってもよい。その場合でも、上述した構成を適用することで、長年の使用によりボルトが緩んでしまう場合に、床パネル２のガタツキ音や横ズレを回避して歩行感を良好に保つことができる。
【００６４】
また、本実施の形態では、凸部７０が形成された緩衝シート６０を支持脚ユニット３０の支持面３３ｄに設け、不織布５０を床パネル２の下板２３に設けたが、図８に示すように、凸部７０を有する緩衝シート６０を床パネル２の下面２３ｂに設けると共に、不織布５０を支持脚ユニット３の支持板３３の支持面３３ｄに設けるようにしてもよい。
【００６５】
（第２の実施の形態）
以下、第２の実施の形態について説明する。なお、第１の実施の形態と同様の要素には、同一の符号を付し、その説明を省略する。
【００６６】
図９は、本実施の形態にかかる二重床の構造を説明する図である。図示のように、本実施の形態にかかる二重床１０１は、基礎床面４上に載置される支持部としてのベースマット１０３と、このベースマット１０３に形成された溝を塞ぐ床パネルとしてのセンターカバー１０２及びストレートカバー１０４とから構成されている。
【００６７】
図１０は、センターカバー１０２、及びストレートカバー１０４の構成を説明する図であり、図１０（Ａ）は、センターカバーの平面図、図１０（Ｂ）は、センターカバーの側面図、図１０（Ｃ）は、ストレートカバーの平面図、図１０（Ｄ）は、ストレートカバーの側面図を示す。図示のように、センターカバー１０２は、例えば表面をメッキ処理したステンレス板から形成されており、正方形の四隅を切り落とした様な形状をしている。またセンターカバー１０２は、その中央に十字状のリブ１０２ａが設けられており、少量の金属使用量で所定の強度を得るようになされている。ちなみに、このリブ１０２ａの形状は、同心円状や点対称、線対称、若しくはそれに準じない非対称な形状等であってもよいし、その個数や位置も特に限定されない。なお、センターカバー１０２をステンレス板ではなく、他の金属板や木板、樹脂板等、又はそれらを任意に複数組み合わせた合板で形成してもよい。
【００６８】
また、このセンターカバー１０２の中でベースマット１０３により支持される被支持面としての下面１０２ｂの少なくとも四隅には、軟質部材として、不織布５０が設けられている。なお、この不織布５０の個数や設ける位置は特に限定されず、下面１０２ｂの全面に設けられていてもよい。
【００６９】
ストレートカバー１０４は、図１０（Ｃ）及び（Ｄ）に示すように、例えばセンターカバー１０２と同じ材料（この場合、ステンレス板）から形成されており、略長方形状をしている。また、ストレートカバー１０４は、その短辺と並行に複数本のリブ１０４ａが設けられており、少量の金属使用量で所定の強度を得るようになされている。なお、このリブ１０４ａの形状は、十字形状や同心円状、点対称、線対称、若しくはそれに準じない非対称な形状等であってもよいし、その個数や位置も特に限定しない。また、本実施の形態では、ストレートカバー１０４をセンターカバー１０２と同じ材料で形成した場合について述べたが、他の金属板や木板、樹脂板等であってもよいし、それらを任意に複数組み合わせた合板であってもよい。
【００７０】
さらに、上述したセンターカバー１０２と同様に、このストレートカバー１０４の中でベースマット１０３により支持される被支持面としての下面１０４ｂの少なくとも四隅には、軟質部材として、第１の実施の形態において上述した不織布５０が設けられている。なお、この不織布５０の個数や設ける位置も特に限定されず、下面１０４ｂの全面に設けられていてもよい。
【００７１】
さらにストレートカバー１０４の短辺側の一辺には、開口１２４が設けられており、センターカバー１０２及びストレートカバー１０４の下の配線空間からケーブル等を引き出せるようになされている。
【００７２】
図１１は、ベースマットの構成を説明する図であり、図１１（Ａ）は、ベースマットの平面図、図１１（Ｂ）は、ベースマットの側面図、図１１（Ｃ）は、ベースマットの凸部が設置された部分の拡大図である。図示のように、ベースマット１０３は、基礎床面４に設置される略正方形状の基部１３１と、基部１３１上に縦横に整列するように嵩上げされて設けられた床台１３２とから構成されており、全体としてコンクリートを主体とした樹脂成形品として形成されている。なお、このベースマット１０３は、金属や木材により形成されていてもよいし、それらを樹脂で形成した複合品であってもよい。なお、上述の基部１３１を基礎床面４に固定するようにしても良い。
【００７３】
床台１３２は、例えば縦横に切り込みの入った略正方形状であり、基部１３１上で前後左右に所定の間隔を空けて縦横に整列して設けられている。これにより、基部１３１上において、隣り合う床台１３２の間には、配線等を配設するための配線空間１０５が格子状に設けられることとなる。
【００７４】
また、床台１３２の端部には、支持段部１３３が設けられている。この支持段部１３３は床台１３２の上面１３２ａよりも一段低く形成されており、隣り合う床台１３２の支持段部１３３との間にセンターカバー１０２やストレートカバー１０４を掛け渡せるようになされている（図９参照）。これにより二重床１０１では、支持段部１３３にセンターカバー１０２やストレートカバー１０４が掛け渡されて配線空間１０５が閉じられると、床台１３２の上面１３２ａとセンターカバー１０２及びストレートカバー１０４の上面とが略同じ高さになる。
【００７５】
かかる構成に加えて、支持段部１３３の支持面１３３ｄには、緩衝シート６０が接着固定されている。この緩衝シート６０は、支持面１３３ｄを覆うように設けられ、その表面に略円錐台形状の複数の凸部７０が縦横に整列して配列されている。
【００７６】
このような構成により、本実施の形態における二重床１０１では、センターカバー１０２及びストレートカバー１０４がベースマット１０３に載置されて（図９参照）図示しないカーペットが貼着されると、或いは、センターカバー１０２、又はストレートカバー１０４に歩行等による荷重が加えられると、不織布５０が凸部７０相互間に侵入して凸部７０に絡み付くことになるので、床パネル２の横方向への動きが規制されて、その結果、上述した第１の実施の形態における二重床１と同様の効果を得ることができる。
【００７７】
（第３の実施の形態）
以下、第３の実施の形態について説明する。なお、第１及び第２の実施の形態と同様の要素には、同一の符号を付し、その説明を省略する。
【００７８】
図１２は、本実施の形態にかかる二重床の構造を説明する図である。図示のように、二重床２０１は、略正方形状に形成した床パネル２０２と、この床パネル２０２を四隅で支持するための支持部としての支持脚ユニット２０３と、床パネル２０２相互間の隙間を塞ぐためのコーナーカバー２０４及びサイドカバー２０５とから構成されている。そして、この二重床２０１では、建物の部屋に合わせて縦横に整列して配置された各支持脚ユニット２０３の上に、複数の床パネル２０２がその四隅を所定間隔を空けた状態で載置され、その隙間をコーナーカバー２０４とサイドカバー２０５とで塞ぐことで、建物の基礎床面４上に電気配線等のケーブルを収納する配線空間を形成している。
【００７９】
図１３は、床パネルの構造を説明する図であり、図１３（Ａ）は、床パネルの平面図、図１３（Ｂ）は、床パネルの側面図を示している。図示のように、床パネル２０２は、例えば、全体として扁平で上側が開口したステンレス製の下パネル２２３と、この下パネル２２３の開口を塞ぐようにして設けられたステンレス製の上パネル２２２とから形成されており、上パネル２２２と下パネル２２３とはリベット等によって結合される。これにより床パネル２０２は、単なる一枚板から形成される場合に比して、歩行者の踏圧や積載物の重量に耐えるために必要な強度を得るための材料を削減すると共に、床パネル２０２自体の重量を削減するようになされている。なお、本実施の形態では、床パネル２０２（すなわち、上パネル２２２及び下パネル２２３）をステンレス板でなく、他の金属板や木板、樹脂板等、又はそれらを任意に複数組み合わせた合板で形成してもよい。
【００８０】
上パネル２２２の上面２２２ａには、床パネル２０２の方向を指し示す方向指示マーク２２４が設けられている。これにより二重床２０１では、床高さの調整やケーブルの引き回し等により床パネル２０２が取り外された際に、確実に同じ方向で床パネル２０２を戻すことができるようになされており、その結果、調整したにも関わらず床パネル２０２がガタついてしまうような事態を回避することができる。
【００８１】
ところで、この床パネル２０２の中で支持脚ユニット２０３により支持される被支持面としての下面２２３ｂの四隅には、軟質部材として、第１の実施の形態において上述した不織布５０が設けられている。ちなみにこの不織布５０も、床パネル２０２を支持脚ユニット２０３に固定するときの緩衝シートと成り得るような軟質部材であればどのようなものでもよいし、その個数や設ける位置も特に限定せず、下面２２３ｂの全面に設けられていてもよい。
【００８２】
図１４は、支持脚ユニットの構造を示す図であり、図１４（Ａ）は、支持脚ユニットの平面図、図１４（Ｂ）は、支持脚ユニットの側面図、図１４（Ｃ）は、図１４（Ｂ）における要部拡大図である。図示のように、支持脚ユニット２０３は、基礎床面４に設置固定される略正方形状の基台２３１と、この基台２３１の四隅近傍から垂直に立設されて床パネル２０２を所定の高さに支持する略円柱形状の四本の支持脚２３２と、この支持脚２３２のそれぞれの先端側に配置されて床パネル２０２を下面２２３ｂ側から支持する支持ナット部２３３とから構成されている。
【００８３】
基台２３１は、例えば、所定厚みの金属板から形成されており、略中央から同心円状のリブ２３１ａが設けられている。このリブ２３１ａにより基台２３１が補強されるとともに、リブ２３１ａの部分に接着剤が溜まるので基台２３１が基礎床面４にしっかりと固定される。なお、リブ２３１ａの形状は、上述の基台２３１を補強、及び接着剤を溜めることができる形状であれば、放射状や点対称、線対称、若しくはそれに準じない非対称な形状であってもよく、またその位置や個数も特に限定しない。
【００８４】
また基台２３１には、略正方形状の四辺のそれぞれの略中央に中心線２３１ｂが設けられている。これにより基台２３１は、二重床２０１を基礎床面４に施工する際に、墨出した基準線にこの中心線２３１ｂを合わせて固定するだけで、基台２３１を所定の間隔で配設することができるようになされている。
【００８５】
支持脚２３２は、例えば、金属の円柱から形成されており、その表面には雄ネジ２３２ａが設けられている。
【００８６】
支持ナット部２３３は、例えば、樹脂で形成され、支持脚２３２の雄ネジ２３２ａに螺合する金属製のナットが一体に設けられている。そして、四本の支持脚２３２のそれぞれに設けられた支持ナット部２３３は、支持脚２３２の周りを回動されることで上下移動することになり、基礎床面４から床パネル２０２までの床高さを調節できるようになされている。
【００８７】
また支持ナット部２３３の上端は円柱状に形成されており、床パネル２０２の下面２２３ｂの四隅に設けられた凹部に支持ネット部２３３の先端が押さえられるようになっている。これにより二重床２０１では、床パネル２０２を支持脚ユニット２０３に載置する際、床パネル２０２の下面２２３ｂに設けられた凹部により支持ナット部２３３の先端が押さえられることで、大まかにではあるが、支持脚ユニット３０３に床パネル２０２を容易に位置合わせできるようになされている。
【００８８】
かかる構成に加えて、支持面２３３ｄには、緩衝シート６０が接着固定されている。この緩衝シート６０は、支持面１３３ｄを覆うように設けられ、その表面に円錐台形状の複数の凸部７０が縦横に整列して配列されている。
【００８９】
このような構成により、本実施の形態における二重床２０１では、床パネル２０２が支持脚ユニット２０３に載置される（図１２参照）、或いは、歩行等により床パネル２０２に荷重が加えられると、不織布５０が凸部７０相互間に侵入して凸部７０に絡み付くことになるので、床パネル２の横方向への動きが規制される。その結果、上述した第１の実施の形態における二重床１と同様の効果を得ることができる。
【００９０】
なお、この二重床２０１において床パネル２０２相互間には、所定幅の隙間が格子状の開口として設けられており、この格子状の開口を塞ぐようにして、コーナーカバー２０４及びサイドカバー２０５が掛け渡される構成となっている（図１２参照）。そしてこれらコーナーカバー２０４及びサイドカバー２０５は、その下面を、床パネル２０２の上面２２２ａの端部に掛け渡すようになされている。
【００９１】
従って、この本実施の形態の場合、コーナーカバー２０４及びサイドカバー２０５の下面に不織布５０又は緩衝シート６０を設けると共に、床パネル２０２の上面２２２ａの端部に緩衝シート６０又は不織布５０を設けることもできる。
【００９２】
図１５に、一例として、サイドカバー２０５の下面に不織布５０を設け、床パネル２０２の上面２２２ａの端部に緩衝シート６０を設けた状態を示す。
【００９３】
図から理解されるように、サイドカバー２０５と床パネル２０２との間では、凸部７０が不織布５０に絡みつくことになり、その結果、床パネル２０２上でサイドカバー２０５がガタついたり横ズレしたりすることを回避できる。なお、コーナーカバー２０４に不織布５０が設けられる場合も同様である。すなわち、本実施の形態の場合、コーナーカバー２０４及びサイドカバー２０５と床パネル２０２との間においても、不織布５０及び緩衝シート６０を設けることで上述した第１の実施の形態における床パネル２と支持脚ユニット３との間における効果と同様の効果を得ることができる。
【００９４】
（第４の実施の形態）
以下、第４の実施の形態について説明する。なお、第１〜第３の実施の形態と同様の要素には、同一の符号を付し、その説明を省略する。図１６は、第４の実施の形態における二重床の構成を説明する図である。図示のように、二重床３０１は、略正方形状に形成した床パネル３０２と、この床パネル３０２を四隅で支持するための支持部としての支持脚マット３０３とから構成されている。また、支持脚マット３０３には支持脚３３０が所定間隔で縦横に整列して設けられている。
【００９５】
この二重床３０１では、建物の部屋に合わせて縦横に整列して配置された各支持脚マット３０３の支持脚３３０の上に、複数の床パネル３０２がその四隅を突き合わせるようにして載置されることで、建物の基礎床面４上に電気配線等のケーブルを収納する配線空間を形成している。
【００９６】
図１７は、本実施の形態における床パネルの構成を説明する図であり、図１７（Ａ）は、床パネルの平面図を示しており、図１７（Ｂ）は、床パネルの側面図を示している。図示のように、床パネル３０２は、例えば表面をメッキ処理したステンレス板で略正方形状に形成されている。この床パネル３０２には、その四辺において、側爪部３０２ｄが屈曲形成されており、その中央に二重十字状のリブ３０２ａが設けられている。これら側爪部３０２ｄやリブ３０２ａにより床パネル３０２は、少量の金属使用量で所定の強度を得るようになされている。なお、このリブ３０２ａの形状は、同心円状や点対称、線対称、若しくはそれに準じない非対称な形状等であってもよいし、その個数や位置も特に限定しない。また、床パネル３０２を、ステンレス板ではなく、他の金属板や木板、樹脂板等、又はそれらを任意に複数組み合わせた合板で形成しても良い。
【００９７】
また床パネル３０２の上面３０２ｃには、床パネル３０２の方向を指し示す方向指示マーク３２５が設けられている。これにより二重床３０１では、床高さの調整やケーブルの引き回し等により床パネル３０２が取り外された際に、確実に同じ方向で床パネル３０２を戻すことができるようになされている。
【００９８】
さらに、この床パネル３０２の中で支持脚マット３０３により支持される被支持面としての下面３０２ｂの少なくとも四隅には、軟質部材として、不織布５０が設けられている。また、床パネル３０２の隣合う二辺には、開口３２４が設けられており、床パネル３０２の下の配線空間からケーブル等を引き出せるようになされている。
【００９９】
図１８は、支持部としての支持脚マットの構成を説明する図であり、図１８（Ａ）は、支持脚マットの平面図、図１８（Ｂ）は、支持脚マットの側面図、図１８（Ｃ）は、支持脚マットに設けられた凸部７０の部分の拡大図である。図示のように、支持脚マット３０３は、基礎床面４上に縦横に整列して組み合わされた基組３２０と、この基組３２０の交点部分に設けられた支持脚３３０とから構成されており、全体として樹脂で形成されている。この支持脚３３０は、基組３２０の交点の一部又は全てに複数設けられることで、全体として縦横に整列して配置されている。
【０１００】
これにより支持脚マット３０３は、基礎床面４上に設置されるだけで、支持脚３３０を縦横に整列して配置できるようになされており、基礎床面４に支持脚３２０を個別に並べる場合に比して、施工時の手間を軽減できるようになされている。なお、この支持脚マット３０３を、金属や木材、或いは、それらを樹脂で形成した複合品で形成しても良い。また、支持脚マット３０３において支持脚３３０は、基組３２０の交点の全てに設けられていてもよいし、一個毎、二個毎、三個毎・・・のように、所定の個数毎や間隔毎に設けられていてもよく、その数及び間隔は必要に応じて変更できる。
【０１０１】
支持脚３３０は、その断面形状が八角形であり、その上端の支持面３３１には床パネル３０２が支持されるようになされている。また、支持面３３１の端部としての八辺のうち、縦横に隣り合う他の四個の支持脚３３０と対向する四辺に対してそれぞれ切り欠き３３２が設けられている。これにより二重床３０１では、床パネル３０２を支持脚マット３０３に載置する際、支持脚３３０に設けられた切り欠き３３２によって、床パネル３０２に設けられた側爪部３０２ｄを押さえることで、大まかにではあるが、床パネル３０２を支持脚３３０に容易に位置合わせできるようになされている。
【０１０２】
かかる構成に加えて、支持脚３３０の支持面３３１には、上述の緩衝シート６０が貼着されている。この緩衝シート６０は、支持面３３１を覆うように設けられ、その表面に円錐台形状の複数の凸部７０が縦横に整列して配列されている。
【０１０３】
このような構成により、本実施の形態における二重床３０１では、床パネル３０２が支持脚マット３０３の支持脚３３０に載置される（図１６参照）、或いは、歩行により床パネル３０２に荷重が加えられると、不織布５０が凸部７０相互間に侵入して凸部７０に絡み付くことになるので、床パネル２の横方向への動きが規制される。その結果、上述した第１の実施の形態における二重床１と同様の効果を得ることができる。
【０１０４】
以上のように、第１〜第４の実施の形態を用いて本発明を詳しく説明したが、本発明はこれに限らず、例えば第１〜第４の実施の形態の各構成及び他の実施の形態の各構成を部分的に抽出した形態や、その一部又は全部を任意に抽出して組み合わせた形態についても広く適用できるものである。
【図面の簡単な説明】
【０１０５】
【図１】第１の実施の形態にかかる二重床の構造を説明する図である。
【図２】床パネルの構造を説明する図である。
【図３】支持脚ユニットの構造を説明する図である。
【図４】緩衝シートの構造、及びその設置態様を説明する図である。
【図５】支持脚ユニットにより床パネルが支持された状態を説明する図である。
【図６】荷重状態における凸部、及び不織布の状態を説明する図である。
【図７】凸部の形状の例を示す図である。
【図８】凸部と不織布の他の設置態様を説明する図である。
【図９】第２の実施の形態にかかる二重床の構造を説明する図である。
【図１０】センターカバー、及びストレートカバーの構造を説明する図である。
【図１１】ベースマットの構造を説明する図である。
【図１２】第３の実施の形態にかかる二重床の構造を説明する図である。
【図１３】床パネルの構造を説明する図である。
【図１４】支持脚ユニットの構造を説明する図である。
【図１５】サイドカバーに床パネルを設置した状態を説明する図である。
【図１６】第４の実施の形態にかかる二重床の構造を説明する図である。
【図１７】床パネルの構造を説明する図である。
【図１８】支持脚マットの構造を説明する図である。
【符号の説明】
【０１０６】
１      二重床
２      床パネル
３      支持脚ユニット（支持部）
５０    不織布（軟質部材）
７０    凸部
１０１  二重床
１０２  センターカバー（床パネル）
１０３  ベースマット（支持部）
２０１  二重床
２０２  床パネル
２０３  支持脚ユニット（支持部）
３０１  二重床
３０２  床パネル
３０３  支持脚マット（支持部）
【図１】
2010001610.tif 000003
【図２】
2010001610.tif 000004
【図３】
2010001610.tif 000005
【図４】
2010001610.tif 000006
【図５】
2010001610.tif 000007
【図６】
2010001610.tif 000008
【図７】
2010001610.tif 000009
【図８】
2010001610.tif 000010
【図９】
2010001610.tif 000011
【図１０】
2010001610.tif 000012
【図１１】
2010001610.tif 000013
【図１２】
2010001610.tif 000014
【図１３】
2010001610.tif 000015
【図１４】
2010001610.tif 000016
【図１５】
2010001610.tif 000017
【図１６】
2010001610.tif 000018
【図１７】
2010001610.tif 000019
【図１８】
2010001610.tif 000020